(57)【要約】【課題】簡易な構成で安定して光源の点灯を制御を行うことができる点灯制御装置及び照明装置を提供する。【解決手段】点灯制御装置は、外部電源により供給される電力をスイッチングにより所望の電力へ変換して光源へ供給する電源手段（１１０、１２０、１３０、１４０）と、外部から入力されるディジタル信号を受信する受信手段（１５０）と、前記受信手段により受信するディジタル信号を解析する機能と、解析結果に基づいて前記電源手段に出力する制御信号を生成する機能とを一体に備える点灯制御手段（１６０）と、を具備する。【選択図】      図１
2011243422.tif 000002
【特許請求の範囲】
【請求項１】
外部電源により供給される電力をスイッチングにより所望の電力へ変換して光源へ供給する電源手段と；
外部から入力されるディジタル信号を受信する受信手段と；
前記受信手段により受信するディジタル信号を解析する機能と、解析結果に基づいて前記電源手段を制御する制御信号を生成する機能とを一体に備える点灯制御手段と；
を具備することを特徴とする点灯制御装置。
【請求項２】
前記点灯制御手段は、前記電源手段に出力する制御信号のスイッチング周波数を予め記憶する記憶手段と、前記受信手段により受信するディジタル信号におけるノイズを検出して検出したノイズの周波数を算出するノイズ検出手段とを有し、
前記ノイズ検出手段は、受信したディジタル信号内におけるスイッチング周波数以外のノイズの有無を前記記憶手段により記憶されているスイッチング周波数を用いて識別することを特徴とする請求項１に記載の点灯制御装置。
【請求項３】
前記記憶手段は、スイッチング周波数の範囲を予め記憶し；
前記点灯制御手段は、スイッチング周波数を所定の範囲で拡散させるジッター手段をさらに具備し；
前記ノイズ検出手段は、受信したディジタル信号内におけるスイッチング周波数以外のノイズの有無を前記記憶手段により記憶されているスイッチング周波数の範囲を用いて識別することを特徴とする請求項２に記載の点灯制御装置。
【請求項４】
光源と；
請求項１乃至３のいずれかに記載の点灯制御装置と；
前記点灯制御装置が設けられる器具本体と、
を具備することを特徴とする照明装置。
【発明の詳細な説明】
【技術分野】
【０００１】
本発明は、例えば、ＬＥＤ（発光ダイオード）または放電灯などの光源の点灯を制御する点灯制御装置及び照明装置に関する。
【背景技術】
【０００２】
従来、放電灯などの光源を点灯する点灯制御装置には、インバータ回路を用いたものが知られている。この場合、点灯制御装置は、力率改善回路であってスイッチング素子を有する昇圧チョッパ回路からの出力をインバータ回路のスイッチング制御により、所望の出力に変更し、放電灯を点灯するように制御する。
【０００３】
また、近年、発光素子としてＬＥＤ素子などの光源を点灯する点灯制御装置が実用化されている。この場合、点灯制御装置は、供給される電力に対して昇圧や降圧等を行い、ＬＥＤ素子に流れる電流を制御する。これにより、点灯制御装置は、ＬＥＤ素子を所望の明るさで点灯する。
【０００４】
また、点灯制御装置は、例えば、外部から入力されるリモコン信号に基づいて光源の明るさを制御するものもある。例えば特許文献１には、外部から入力されるリモコン信号に基づいて光源の明るさを制御する技術が開示されている。
【先行技術文献】
【特許文献】
【０００５】
【特許文献１】特開２０１０−４０３７４号公報
【発明の概要】
【発明が解決しようとする課題】
【０００６】
従来の点灯制御装置は、外部から受信するリモコン信号を処理するＭＰＵ（演算素子）と、光源の明るさを調整する為の制御素子とが別部品により構成されている。この為、ＭＰＵは、制御素子によるスイッチング周波数を認識していない場合には、スイッチングによって生じるノイズがリモコン信号に重畳されてしまうとリモコン信号の判別が困難になる虞がある。
【０００７】
また、ノイズを除去する構成として、ＰＬＬなどを回路に追加する構成が考えられるが、この場合、装置の大型化、コスト増などを招く。
【０００８】
そこで、本発明は、簡易な構成で安定して光源の点灯を制御を行うことができる点灯制御装置及び照明装置を提供することを目的とする。
【課題を解決するための手段】
【０００９】
請求項１に記載の点灯制御装置は、外部電源により供給される電力をスイッチングにより所望の電力へ変換して光源へ供給する電源手段と；外部から入力されるディジタル信号を受信する受信手段と；前記受信手段により受信するディジタル信号を解析する機能と、解析結果に基づいて前記電源手段を制御する制御信号を生成する機能とを一体に備える点灯制御手段と；を具備することを特徴とする。
【００１０】
本発明及び以下の各発明において、特に言及しない限り、各構成は以下による。
【００１１】
接続端子に接続される光源は、例えば、発光ダイオード、有機ＥＬ素子または放電灯などである。なお、発光ダイオードは、異なる波長の光を放射する発光ダイオードが複数設けられるものであってもよい。また、電源手段は、昇圧回路、降圧回路、昇降圧回路またはインバータ等の電力変換回路を示し、スイッチング素子を制御することによって所望の電力を出力するものである。
【００１２】
請求項２に記載の点灯制御装置は、請求項１の記載において、前記点灯制御手段は、前記電源手段に出力する制御信号のスイッチング周波数を予め記憶する記憶手段と、前記受信手段により受信するディジタル信号におけるノイズを検出して検出したノイズの周波数を算出するノイズ検出手段とを有し、前記ノイズ検出手段は、受信したディジタル信号内におけるスイッチング周波数以外のノイズの有無を前記記憶手段により記憶されているスイッチング周波数を用いて識別することを特徴とする。
【００１３】
請求項３に記載の点灯制御装置は、請求項２の記載において、前記記憶手段は、スイッチング周波数の範囲を予め記憶し；前記点灯制御手段は、スイッチング周波数を所定の範囲で拡散させるジッター手段をさらに具備し；前記ノイズ検出手段は、受信したディジタル信号内におけるスイッチング周波数以外のノイズの有無を前記記憶手段により記憶されているスイッチング周波数の範囲を用いて識別することを特徴とする。
【００１４】
請求項４に記載の照明装置は、光源と；請求項１乃至３のいずれかに記載の点灯制御装置と；前記点灯制御装置が設けられる器具本体と、を具備することを特徴とする。
【発明の効果】
【００１５】
請求項１の発明によれば、外部から受信するリモコン信号を解析する機能と、解析した結果に基づいて光源の明るさを調整する為の制御信号を生成する機能とが一体に形成されている為、点灯制御装置は、電源手段のスイッチングの影響を受けず、外部からのディジタル信号による電源手段の制御を実施することが出来る。
【００１６】
請求項２の発明によれば、点灯制御装置は、電源手段のスイッチングによるノイズを記憶手段に記憶して用いる為、スイッチング周波数が変化しても確実にスイッチングノイズを認識することができるので、外部から受信するディジタル信号を正確に解析することが出来る。
【００１７】
請求項３の発明によれば、点灯制御装置は、所定の周波数に集中して発生する電気的なノイズを低減することができる。
【００１８】
請求項４の発明によれば、請求項１乃至３のいずれかに記載の効果を有する照明装置を提供することが出来る。
【図面の簡単な説明】
【００１９】
【図１】図１は、一実施形態に係る照明装置の構成例について説明する為の説明図である。
【図２】図２は、ＭＰＵのノイズ認識処理について説明する為の説明図である。
【図３】図３は、スイッチング周波数の例について説明する為の説明図である。
【図４】図４は、スイッチング周波数の例について説明する為の説明図である。
【図５】図５は、他の実施形態に係る照明装置の構成例について説明する為の説明図である。
【発明を実施するための形態】
【００２０】
以下、図面を参照しながら、本発明の一実施形態に係る点灯制御装置及び照明装置について詳細に説明する。
【００２１】
図１は、本発明の一実施形態に係る照明装置１００の構成例について説明する為の説明図である。  
照明装置１００は、点灯制御装置と光源とを備える。照明装置１００は、点灯制御装置として、電力系統１１０、整流回路１２０、昇圧回路１３０、降圧回路１４０、リモコン信号受信部１５０及びＭＰＵ１６０などを備える。また、照明装置１００は、光源として、ＬＥＤ１８０を備える。
【００２２】
電力系統１１０は、商用電源などの交流電源である。なお、電力系統１１０は、交流電源に接続する接続端子であってもよい。
【００２３】
整流回路１２０は、複数のダイオードにより構成される整流ブリッジを備える。整流回路１２０は、電力系統１１０から供給される交流電力を直流電力に整流する。
【００２４】
昇圧回路１３０は、昇圧チョッパを備える。即ち、昇圧回路１３０は、リアクトルＬ１、トランジスタＴｒ１、ダイオードＤ１、抵抗Ｒ１及びコンデンサＣ１を備える。トランジスタＴｒ１及びコンデンサＣ１は、整流回路１２０と並列に接続される。リアクトルＬ１は、トランジスタＴｒ１と整流回路１２０との間に接続される。抵抗Ｒ１は、トランジスタＴｒ１とＧＮＤとの間に接続される。ダイオードＤ１は、トランジスタＴｒ１とコンデンサＣ１との間に接続される。昇圧回路１３０は、整流回路１２０の両端に生じる電圧を昇圧して出力する昇圧手段として機能する。
【００２５】
降圧回路１４０は、降圧チョッパを備える。即ち、降圧回路１４０は、トランジスタＴｒ２、ダイオードＤ２、リアクトルＬ２及びコンデンサＣ２を備える。ダイオードＤ２及びコンデンサＣ２は、コンデンサＣ１と並列に接続される。トランジスタＴｒ２は、コンデンサＣ１とダイオードＤ２との間に接続される。リアクトルＬ２は、ダイオードＤ２とコンデンサＣ２との間に接続される。降圧回路１４０は、コンデンサＣ２の両端に生じる電圧を制御することにより、ＬＥＤ１８０を流れる電流が一定の値になるように制御する降圧手段として機能する。
【００２６】
リモコン信号受信部１５０は、リモートコントローラなどの端末から出力されるリモコン信号を受信する。リモートコントローラは、例えば、照明装置１００の光源の発光量を所定の範囲内で調整するためのリモコン信号を赤外線により出力する。この場合、リモコン信号受信部１５０は、赤外線を受光する受光部を有する。リモコン信号受信部１５０は、リモートコントローラから出力されるリモコン信号を受光部により受信する。リモコン信号受信部１５０は、受信したリモコン信号をＭＰＵ１６０に入力する。
【００２７】
ＭＰＵ１６０は、電力系統１１０、整流回路１２０、昇圧回路１３０及び降圧回路１４０などの電源回路を制御する。ＭＰＵ１６０は、各部の制御を行うことにより、ＬＥＤ１８０の点灯制御を行う。
【００２８】
さらに、ＭＰＵ１６０は、リモコン信号受信部１５０から受信するリモコン信号に基づいて電源回路のスイッチング素子の制御を行う。この為に、ＭＰＵ１６０は、受信するリモコン信号の解析を行う。これにより、ＭＰＵ１６０は、リモコン信号により指示される光源の発光量を認識する。
【００２９】
さらに、ＭＰＵ１６０は、ディジタル信号処理装置（Ｄｉｇｉｔａｌ  Ｓｉｇｎａｌ  Ｐｒｏｃｅｓｓｏｒ：以下、ＤＳＰと称する）を備える。ＤＳＰは、リモコン信号により指示される光源の発光量に基づいて、トランジスタＴｒ１またはトランジスタＴｒ２などのスイッチング素子に供給する制御信号を生成する。例えば、ＤＳＰは、解析した発光量に応じてトランジスタＴｒ１またはトランジスタＴｒ２に入力する制御信号のデューティ比を制御する。
【００３０】
ＭＰＵ１６０は、生成した制御信号を昇圧回路１３０のトランジスタＴｒ１に入力することにより、トランジスタＴｒ１のＯＮ／ＯＦＦを制御する。これにより、ＭＰＵ１６０は、コンデンサＣ１の両端に生じる電圧を制御する。
【００３１】
また、ＭＰＵ１６０は、生成した制御信号を降圧回路１４０のトランジスタＴｒ２に入力することにより、トランジスタＴｒ２のＯＮ／ＯＦＦを制御する。これにより、ＭＰＵ１６０は、コンデンサＣ２の両端に生じる電圧を制御する。
【００３２】
ＬＥＤ１８０は、印加される電圧により流れる電流に応じて光を放射する。
【００３３】
上記したように、ＭＰＵ１６０は、リモコン信号受信部１５０から受信するリモコン信号により指示される明るさに応じて、降圧回路１４０から出力される電圧及び電流を制御する。これにより、ＭＰＵ１６０は、所望の明るさでＬＥＤ１８０を点灯することができる。
【００３４】
また、ＭＰＵ１６０は、昇圧回路１３０に入力する入力電圧（Ｖｉｎ）及び昇圧回路１３０から出力される出力電圧（ＶＤ）を検知する。さらにＭＰＵ１６０は、降圧回路１４０の出力電圧（ＶＦ）と、ＬＥＤ１８０を流れる電流（ＩＦ）とを検知する。
【００３５】
上記したように、点灯制御装置のＭＰＵ１６０は、外部から受信するリモコン信号を解析する機能と、解析した結果に基づいて光源の明るさを調整する為の制御信号を生成する機能とを備える。即ち、本実施形態によると、ＭＰＵ１６０は、外部から受信するリモコン信号を解析する機能と、解析した結果に基づいて光源の明るさを調整する為の制御信号を生成する機能とが、同じクロックに基づいて動作するチップ内に一体に形成された構成を備えている。この場合、電源回路のスイッチングの影響を受けず、外部からのディジタル信号による電源回路の制御を実施することが出来る。
【００３６】
これにより、簡易な構成で安定して光源の点灯を制御を行うことができる点灯制御装置及び照明装置を提供することができる。
【００３７】
なお、ＬＥＤ１８０は、照明装置１００の電源回路と取り外し可能な状態で構成されていてもよい。この場合、照明装置１００は、ＬＥＤまたは他の発光素子を取り付け可能な端子を備える。
【００３８】
また、上記した実施形態では、降圧回路１４０として降圧チョッパを備える例について説明したが、この構成に限定されない。降圧回路１４０は、他の降圧素子により構成されていてもよい。
【００３９】
また、ＭＰＵ１６０は、電源回路におけるスイッチングの周波数（スイッチング周波数）を認識していない場合には、スイッチングによって生じるノイズがリモコン信号に重畳されてしまうとリモコン信号の判別が困難になる可能性がある。そこで、ＭＰＵ１６０は、電源回路におけるスイッチング周波数を予め記憶するメモリ１６１を備える。
【００４０】
図２は、ＭＰＵ１６０のノイズ認識処理について説明する為の説明図である。図２に示すように、メモリ１６１は、ＭＰＵ１６０から昇圧回路１３０のトランジスタＴｒ１に入力される制御信号の周波数（第１のスイッチング周波数）と、ＭＰＵ１６０から降圧回路１４０のトランジスタＴｒ２に入力される制御信号の周波数（第２のスイッチング周波数）とをそれぞれ記憶する。これにより、ＭＰＵ１６０は、各スイッチング素子におけるスイッチング周波数を認識する。
【００４１】
リモコン信号受信部１５０からリモコン信号を受信する場合、ＭＰＵ１６０は、リモコン信号のＨｉｇｈの時間とＬｏｗの時間との比に基づいて、「０」と「１」との論理を認識する。
【００４２】
ここで、ＭＰＵ１６０は、例えば、連続してＬｏｗの信号を受信している状態において、短いＨｉｇｈの信号を受信する場合、短いＨｉｇｈの信号をノイズと認識する。また、ＭＰＵ１６０は、例えば、連続してＨｉｇｈの信号を受信している状態において、短いＬｏｗの信号を受信する場合、短いＬｏｗの信号をノイズと認識する。即ち、ＭＰＵ１６０は、ノイズを検出するノイズ検出手段として機能する。ＭＰＵ１６０は、ノイズであると認識した信号の発生タイミングをバッファメモリなどに記憶する。
【００４３】
ＭＰＵ１６０は、バッファメモリに格納されている複数のノイズの発生タイミングに基づいて、ノイズが発生するノイズ周波数を算出する。ＭＰＵ１６０は、ノイズ周波数と、メモリ１６１に記憶されている第１及び第２のスイッチング周波数とをそれぞれ比較する。ＭＰＵ１６０は、一致するものが存在する場合、ノイズの原因を特定することができる。
【００４４】
例えば、ノイズ周波数と、メモリ１６１に記憶されている第１のスイッチング周波数とが一致する場合、ＭＰＵ１６０は、ノイズが昇圧回路１３０のトランジスタＴｒ１のスイッチングにより発生したノイズであると認識する。また、例えば、ノイズ周波数と、メモリ１６１に記憶されている第２のスイッチング周波数とが一致する場合、ＭＰＵ１６０は、ノイズが降圧回路のトランジスタＴｒ２のスイッチングにより発生したノイズであると認識する。
【００４５】
上記したように、ＭＰＵ１６０は、電源回路におけるスイッチングの影響によりリモコン信号に生じるノイズを認識することができる。即ち、ＭＰＵ１６０は、信号内に所定の周期で発生するノイズを認識することにより、受信する信号にノイズがないと仮定して信号の解析を行うことができる。この結果、ＭＰＵ１６０は、リモコン信号が示す正確な論理を認識することが出来る。
【００４６】
これにより、簡易な構成で安定して光源の点灯を制御を行うことができる点灯制御装置及び照明装置を提供することができる。
【００４７】
なお、上記した実施形態では、ＭＰＵ１６０は、リモコン信号受信部１５０から受信するリモコン信号におけるノイズを検出する例について説明したが、この構成に限定されない。上記した実施形態によると、外部から入力されるディジタル信号に基づいて光源の発光量を制御する構成であれば、如何なるものであっても本発明を適用することができる。
【００４８】
例えば、フォトセンサなどの消灯回路が照明装置１００に接続される場合、ＭＰＵ１６０は、消灯回路から入力される消灯信号において生じるノイズを上記の方法により検出することができる。この結果、ＭＰＵ１６０は、消灯回路から入力される消灯信号を正確に認識することができる。
【００４９】
また、上記した実施形態では、ＭＰＵ１６０は、常に一定の周期で電源回路及び点灯回路に制御信号を入力する例について説明したが、この構成に限定されない。ＭＰＵ１６０は、さらにジッター機能を具備していてもよい。
【００５０】
装置が固定の周波数で動作する場合、電気的な雑音が所定の周波数に集中する。この為、所定の周波数のノイズが大きくなる傾向がある。
【００５１】
ジッター機能は、出力する信号の周波数を所定の範囲内で拡散させる機能である。即ち、ＭＰＵ１６０は、電源回路の各スイッチング素子に出力する制御信号の周波数をそれぞれ所定の範囲内で拡散させる。これにより、所定の周波数における電気的なノイズを低減することが出来る。
【００５２】
図３は、ＭＰＵ１６０から昇圧回路１３０のトランジスタＴｒ１に入力される制御信号の例を示す説明図である。また、図４は、ＭＰＵ１６０から降圧回路１４０のトランジスタＴｒ２に入力される制御信号の例を示す説明図である。
【００５３】
図３及び図４に示すように、ＭＰＵ１６０は、第１のスイッチング周波数及び第２のスイッチング周波数をそれぞれ時間に応じて所定の範囲内で変化させて出力する。この場合、メモリ１６１は、時間毎に第１のスイッチング周波数及び第２のスイッチング周波数をそれぞれ記憶する。
【００５４】
ＭＰＵ１６０は、外部から入力されるディジタル信号が入力される場合、ディジタル信号におけるノイズを検出し、ノイズ周波数を算出し、ノイズ周波数とメモリ１６１に記憶されている第１のスイッチング周波数及び第２のスイッチング周波数とをそれぞれ比較する。これにより、ＭＰＵ１６０は、外部から入力されるディジタル信号におけるノイズを認識するとともに、機器自身から外部に発するノイズレベルの低減を実現することが出来る。
【００５５】
なお、ＭＰＵ１６０は、第１のスイッチング周波数及び第２のスイッチング周波数をそれぞれ時間に応じて所定の範囲内で変化させて出力するとして説明したが、この構成に限定されない。ＭＰＵ１６０は、第１のスイッチング周波数及び第２のスイッチング周波数にそれぞれ拡散させる周波数の範囲を設定し、設定した範囲内でランダムに電源回路の各スイッチング素子に入力する制御信号を生成する構成であってもよい。この場合、メモリ１６１は、第１のスイッチング周波数及び第２のスイッチング周波数をそれぞれ幅を持たせて記憶する。
【００５６】
ＭＰＵ１６０は、外部から入力されるディジタル信号が入力される場合、ディジタル信号におけるノイズを検出し、ノイズ周波数を算出し、ノイズ周波数がメモリ１６１に記憶されている第１のスイッチング周波数及び第２のスイッチング周波数の範囲に該当するか否か判断する。これにより、ＭＰＵ１６０は、電源回路のスイッチングが外部から受信するディジタル信号に影響を与えることにより発生するスイッチングノイズを認識することが出来る。これにより、ＭＰＵ１６０は、外部から受信するディジタル信号を正確に解析することが出来る。
【００５７】
また、上記した実施形態では、光源としてＬＥＤ１８０を用いる例について説明したが、この構成に限定されない。照明装置１００が備える光源は、如何なるものであっても良い。
【００５８】
図５は、照明装置１００が光源として放電灯を備える例について説明する為の説明図である。なお、図１に示す構成と同様の構成には同じ参照符号を付し、詳細な説明を省略する。
【００５９】
例えば、照明装置１００が光源として放電灯を備える場合、照明装置１００は、インバータ回路１７０を備える。インバータ回路１７０は、昇圧回路１３０から出力される直流電流を交流電流に変換して放電灯に出力する。
【００６０】
インバータ回路１７０は、昇圧回路１３０のコンデンサＣ１と並列に接続される。インバータ回路１７０は、スイッチング素子としての電界効果トランジスタＦＥＴ１及びＦＥＴ２の直列回路を備える。即ち、インバータ回路１７０は、ハーフブリッジ型のインバータ回路として構成されている。
【００６１】
電界効果トランジスタＦＥＴ１及びＦＥＴ２は、それぞれのゲートがハイサイドドライバ１７１に接続されている。ハイサイドドライバ１７１は、ＭＰＵ１６０から出力される制御信号に基づいて電界効果トランジスタＦＥＴ１及びＦＥＴ２のオン／オフを制御する。
【００６２】
さらに、照明装置１００は、インバータ回路１７０の後段に接続される共振回路１７２を備える。共振回路１７２は、電界効果トランジスタＦＥＴ２と並列に接続されるリアクトルＬ４を備える。また、共振回路１７２は、インバータ回路１７０とリアクトルＬ４との間に直列に接続されるコンデンサＣ３及びリアクトルＬ３を備える。共振回路１７２には、光源として放電灯１９０が接続される。
【００６３】
ＭＰＵ１６０は、受信するリモコン信号に基づいて調光用の制御信号を生成する。ＭＰＵ１６０は、生成した制御信号をハイサイドドライバ１７１に出力する。
【００６４】
ハイサイドドライバ１７１は、ＭＰＵ１６０から供給される調光用の制御信号に応じて、数十ｋＨｚ〜２００ｋＨｚ程度の動作周波数の制御信号を発生させる。ハイサイドドライバ１７１は、生成した制御信号により、インバータ回路１７０の電界効果トランジスタＦＥＴ１及びＦＥＴ２を交互にオンオフさせる。これにより、ハイサイドドライバ１７１は、電界効果トランジスタＦＥＴ２のドレインーソース間に高周波交流出力を発生させる。
【００６５】
インバータ回路１７０は、発生させた高周波交流出力を共振回路１７２に供給する。共振回路１７２は、リアクトルＬ３及びコンデンサＣ４により共振動作を行う。これにより、共振回路１７２は、インバータ回路１７０の高周波交流出力の周波数に応じて放電灯１９０に印加される電圧及び放電灯１９０の両端子を通過する電流を変化させる。
【００６６】
即ち、この場合、ＭＰＵ１６０は、インバータ回路１７０のスイッチングの周波数を調整することにより、放電灯１９０の発光量を制御することが出来る。
【００６７】
この場合も、インバータ回路１７０の電界効果トランジスタＦＥＴ１及びＦＥＴ２のスイッチングが外部から受信するディジタル信号に影響を与えてノイズを発生させる可能性がある。
【００６８】
この場合、ＭＰＵ１６０は、インバータ回路１７０の電界効果トランジスタＦＥＴ１及びＦＥＴ２におけるスイッチング周波数を認識している。即ち、ＭＰＵ１６０は、外部から入力されるディジタル信号におけるノイズを検出し、ノイズ周波数を算出し、ノイズ周波数とインバータ回路１７０におけるスイッチング周波数とを比較する。ノイズ周波数と、インバータ回路１７０におけるスイッチング周波数とが一致する場合、ＭＰＵ１６０は、ノイズがインバータ回路１７０のスイッチングの影響により発生したノイズであると認識することができる。
【００６９】
また、図５に示す例では、照明装置１００は、昇圧回路１３０を備えている。この場合、ＭＰＵ１６０は、昇圧回路１３０におけるスイッチング周波数を予め記憶するメモリ１６２を備える。
【００７０】
この場合、ＭＰＵ１６０は、外部から入力されるディジタル信号におけるノイズを検出し、ノイズ周波数を算出し、ノイズ周波数とインバータ回路１７０におけるスイッチング周波数とを比較し、さらに、ノイズ周波数とメモリ１６２に記憶されているスイッチング周波数（即ち、昇圧回路１３０におけるスイッチング周波数）とを比較する。
【００７１】
ＭＰＵ１６０は、ノイズ周波数と、インバータ回路１７０におけるスイッチング周波数とが一致する場合、ＭＰＵ１６０は、ノイズがインバータ回路１７０のスイッチングの影響により発生したノイズであると認識することができる。
【００７２】
また、ＭＰＵ１６０は、ノイズ周波数と、メモリ１６２に記憶されているスイッチング周波数とが一致する場合、ＭＰＵ１６０は、ノイズが昇圧回路１３０におけるスイッチングの影響により発生したノイズであると認識することができる。
【００７３】
上記したように、照明装置１００が光源として放電灯１９０を用いる場合であっても、本発明を実現することができる。また、半導体発光素子を用いる場合とで同様の効果を得ることができる。
【００７４】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【符号の説明】
【００７５】
Ｌ１…リアクトル、Ｔｒ１…トランジスタ、Ｄ１…ダイオード、Ｒ１…抵抗、Ｃ１…コンデンサ、Ｔｒ２…トランジスタ、Ｄ２…ダイオード、Ｌ２…リアクトル、Ｃ２…コンデンサ、１００…照明装置、１１０…電力系統、１２０…整流回路、１３０…昇圧回路、１４０…降圧回路、１５０…リモコン信号受信部、１６０…ＭＰＵ、１６１…メモリ、１６２…メモリ、１７０…インバータ回路、１７１…ハイサイドドライバ、１７２…共振回路、１８０…ＬＥＤ、１９０…放電灯。
【図１】
2011243422.tif 000003
【図２】
2011243422.tif 000004
【図３】
2011243422.tif 000005
【図４】
2011243422.tif 000006
【図５】
2011243422.tif 000007